(57)【要約】【課題】紙蓋上部の内巻きカール部へ水分が付着してもカール戻りを生じない紙蓋とその製造方法を提供する。【解決手段】周壁２の上部内側に嵌入させた天板３の周縁部を、内巻きカール部４と、周壁２の下端から内側上方に折り返して形成した折返し片６の端との間で上下から挟み込み、内巻きカール部４の先端には周壁２の内面に重なって下方へ伸びる延長片５を連続して設ける。前記延長片５の少なくとも内巻きカール部４の近傍部分を天板３の外周に当接させることにより、内巻きカール部４のカール戻りが規制される。【選択図】図１
2010247837.tif 000002
【特許請求の範囲】
【請求項１】
周壁の上部内側に嵌入させた天板の周縁部を、前記周壁の上縁部に形成した内巻きカール部と、当該周壁下端から内側上方に折り返して形成した折返し片の端との間で上下から挟み込んでなる紙蓋において、
内巻きカール部の先端には周壁内面に重なって下方へ伸びる延長片が連続して設けられ、前記延長片の少なくとも内巻きカール部近傍部分が天板外周に当接して、前記内巻きカール部のカール戻りを規制していることを特徴とする紙蓋。
【請求項２】
天板は、周縁から下方に折り曲げられた環状縁部を有し、前記環状縁部が延長片と折返し片との間に挟み込まれていることを特徴とする請求項１記載の紙蓋。
【請求項３】
紙蓋の周壁となる環体を形成する第１の工程と、
前記周壁の上側となる前記環体の一方の側の周縁部を内側に反転するように曲げる第２の工程と、
前記第２の工程で曲げて反転させた部分を型押しして、前記環体の一方の側に内巻きカール部とその先端に連続して環体内面に重なる延長片を形成する第３の工程と、
前記環体に他方の側から天板を嵌入して、前記天板の周縁部の前記一方の側の面を前記内巻きカール部に当接させる第４の工程と、
前記環体の他方の側の周縁部を内側に反転するように曲げて折返し片を形成し、その端を前記天板の周縁部の前記他方の側の面に当接させる第５の工程を含むことを特徴とする紙蓋の製造方法。
【請求項４】
第４の工程において用いられる天板が環体の内巻きカール部に当接する側と反対側に折り曲げられた環状縁部を有するとともに、第５の工程は、前記環状縁部を延長部と折り返し部との間に挟み込む工程を含むことを特徴とする請求項３記載の紙蓋の製造方法。
【発明の詳細な説明】
【技術分野】
【０００１】
本発明は、アイスクリームやジャム等に用いる容器の紙蓋とその製造方法に関する。
【背景技術】
【０００２】
従来、アイスクリームやジャム等を入れる広口の紙製の容器には、例えば、下記に示す特許文献１〜３に記載されているような、天板と周壁からなる紙蓋が用いられている。図３は、このような従来の一般的な紙蓋の構造を示す断面図であって、同図に示すように紙蓋Ａ１は、環状の周壁Ａ２とその上部を覆う天板Ａ３から構成されている。
【０００３】
周壁Ａ２の上縁部には、内巻きカール部Ａ４が形成されており、この内巻きカール部Ａ４が天板Ａ３の上面周縁部に当接して、天板Ａ３が周壁Ａ２から上方への抜け出すことを規制している。
【０００４】
一方、周壁Ａ２には、その下端から内側上方に向けて折り返して形成した折返し片Ａ５が設けられていて、その端が天板Ａ３の下面（裏面）周縁部に当接して、天板Ａ３が周壁Ａ２から下方へ抜け落ちることを防止している。（なお、従来のこの種の紙蓋の中には、特許文献１に記載されているように、天板を折返し片に当接させずに、単に周壁内面に嵌め込んであるものもある。）
【０００５】
また、図３における紙蓋Ａ１の天板Ａ３には、その周縁から下方に折り曲げられた環状縁部Ａ６が設けられており、前記環状縁部Ａ６が周壁Ａ２の内面と折返し片Ａ５との間に挟み込まれて天板Ａ３と周壁Ａ２間の結合を確実にしている。
【０００６】
また、折返し片Ａ５には、環状の係合凸部Ａ７が形成されていて、紙蓋Ａ１が図示していない容器の開口部に装着された際に、この容器の開口部周囲に形成された外巻きカール部に前記係合凸部Ａ７が係合するようになっている。
【０００７】
図４は、前述したような従来の紙蓋Ａ１の製造工程を説明する図であって、先ず、同図（Ａ）に示すように、前記周壁Ａ２となる紙製の環体Ａ２’を形成する。次に、同図（Ｂ）のように、環体Ａ２’の下端部（なお、ここでは、紙蓋を上下逆向きの姿勢で製造しているため、この部分は完成時の周壁Ａ２の上端側となる。）を上に向けて曲げていき、同図（Ｃ）のように内巻きカール部Ａ４を形成する。
【０００８】
次に、同図（Ｄ）に示すように、予め別工程で製作した天板Ａ３を、その上面側を下向きにして環体Ａ２’内に上方から嵌め込み、同図（Ｅ）に示すように、内巻きカール部Ａ４に前記天板Ａ３の上面側周縁部を当接させる。
【０００９】
次いで、同図（Ｆ）に示すように、環体Ａ２’の上端部を内側に曲げていき、さらに、同図（Ｇ）のように、下方に折り曲げて折返し片Ａ５となし、周壁Ａ２を形成していく。そして、最後に、同図（Ｈ）に示すように、前記折返し片Ａ５に環状の係合凸部Ａ７を型押し形成するとともに、周壁Ａ２の内面と折返し片Ａ５との間に、図３に示す状態に、天板３の環状縁部Ａ６を挟み込み、同時に天板Ａ３の裏面周縁部に当該折返し片Ａ５の端を当接させて紙蓋Ａ１が完成する。
【先行技術文献】
【特許文献】
【００１０】
【特許文献１】実公昭４５−１１０２９号公報
【特許文献２】実公平７−１６５９７号公報
【特許文献３】実開平２−４８５１３号公報
【発明の概要】
【発明が解決しようとする課題】
【００１１】
前述したように構成されている従来の紙蓋においては、図５に示すように、冷蔵庫内でアイスクリーム等の容器Ｖに装着されている紙蓋Ａ１に付着した氷が融けて水滴になると、これが周壁Ａ２の内巻きカール部Ａ４の表面や端面ａから内部に浸透してカール戻りを発生させ、その結果、内巻きカール部Ａ４の端面ａと天板Ａ３上面との間に隙間が空いてしまう問題があった。
【００１２】
そこで、本発明は、従来の紙蓋における前述した問題点を解消し、紙蓋上部の内巻きカール部へ水分が付着してもカール戻りを生じない紙蓋と、その製造方法を提供することを目的とする。
【課題を解決するための手段】
【００１３】
前記目的のために提供される本発明の紙蓋は、周壁の上部内側に嵌入させた天板の周縁部を、前記周壁の上縁部に形成した内巻きカール部と、当該周壁下端から内側上方に折り返して形成した折返し片の端との間で上下から挟み込んでなる紙蓋であって、内巻きカール部の先端には周壁内面に重なって下方へ伸びる延長片が連続して設けられ、前記延長片の少なくとも内巻きカール部近傍部分が天板外周に当接して、前記内巻きカール部のカール戻りを規制するようにしたものである。
【００１４】
本発明の紙蓋においては、天板は、周縁から下方に折り曲げられた環状縁部を有し、前記環状縁部が延長片と折返し片との間に挟み込まれていることが望ましい。
【００１５】
また、本発明の紙蓋の製造方法は、紙蓋の周壁となる環体を形成する第１の工程と、前記周壁の上側となる前記環体の一方の側の周縁部を内側に反転するように曲げる第２の工程と、前記第２の工程で曲げて反転させた部分を型押しして、前記環体の一方の側に内巻きカール部とその先端に連続して環体内面に重なる延長片を形成する第３の工程と、前記環体に他方の側から天板を嵌入して、前記天板の周縁部の前記一方の側の面を前記内巻きカール部に当接させる第４の工程と、前記環体の他方の側の周縁部を内側に反転するように曲げて折返し片を形成し、その端を前記天板の周縁部の前記他方の側の面に当接させる第５の工程を含むものである。
【００１６】
本発明の紙蓋の製造方法においては、第４の工程において用いられる天板が環体の内巻きカール部に当接する側と反対側に折り曲げられた環状縁部を有するとともに、第５の工程は、前記環状縁部を延長部と折り返し部との間に挟み込む工程を含んでいることが望ましい。
【発明の効果】
【００１７】
請求項１に記載された発明に係る紙蓋によれば、内巻きカール部の先端に、周壁内面に重なって下方へ伸びる延長片を連続して設け、前記延長片の少なくとも内巻きカール部近傍部分が天板外周に当接するようにしてあるため、内巻きカール部に水滴が付着しても、カール戻りが生じることがなく、天板と内巻きカール部との間に隙間を生じることがない。
【００１８】
また、請求項２に記載された発明に係る紙蓋によれば、天板に設けられている環状縁部が延長片と折返し片との間に挟み込まれているため、内巻きカール部のカール戻りをより確実に阻止することができるとともに、天板上面に大きな外力が作用した際に、紙蓋の素材が薄く剛性が低い場合でも、天板周縁部が折返し片の上端から外れて下方に抜ける恐れがない。
【００１９】
請求項３に記載された発明に係る紙蓋の製造方法により、請求項１に記載された紙蓋を提供することができる。また、請求項４に記載された発明に係る紙蓋の製造方法により、請求項２に記載された紙蓋を提供することができる。
【図面の簡単な説明】
【００２０】
【図１】本発明の紙蓋の構造を示す断面図である。
【図２】本発明の紙蓋の製造工程を説明する図である。
【図３】従来のアイスクリーム容器等に用いられる一般的な紙蓋の構造を示す断面図である。
【図４】従来のアイスクリーム容器等に用いられる一般的な紙蓋の製造工程を説明する図である。
【図５】従来の紙蓋に生じる内巻きカール部のカール戻りの状態を示す紙蓋の部分断面図である。
【発明を実施するための形態】
【００２１】
以下、本発明の実施形態を図面に基づいて説明する。図１に示すように、本発明の紙蓋１は、環状の周壁２とその上部を覆う天板３から構成されている。周壁２の上縁部には、内巻きカール部４が形成されており、この内巻きカール部４の先端には、さらに、周壁２の内面に重なって下方に伸びる延長片５が連続して設けられている。
【００２２】
一方、天板３は、その周縁から下方に折り曲げられた環状縁部３Ａを有していて、前記環状縁部３Ａの外面と周壁２の内面との間に、延長片５が挟み込まれているとともに、天板３の上面周縁部が内巻きカール部４に下方から当接している。
【００２３】
また、周壁２には、その下端から内側上方に向けて折り返して形成されてた折返し片６が設けられていて、その上端６Ａが天板３の下面（裏面）周縁部に当接しているとともに、折返し片６の上端６Ａ近傍の裏面は、天板３の環状縁部３Ａの内面と当接している。
【００２４】
また、折返し片６の途中には、紙蓋１が、図示していない容器に装着される際に、当該容器の開口部周囲に形成されている外巻きカール部に係合するための、環状の係合凸部７が形成されている。
【００２５】
前述した構造の紙蓋１においては、延長片５が天板３の外周に設けられた環状縁部３Ａの外面と周壁２の内面との間に挟み込まれているため、内巻きカール部４に水滴が付着しても、従来のこの種の紙蓋のようにカール戻りが生じることがなく、天板３Ａと内巻きカール部４との間に隙間を生じることがない。
【００２６】
なお、本実施形態においては、天板３に環状縁部３Ａを設けているが、環状縁部３Ａの無い天板を使用してもよく、その場合には、天板の外周を延長片５の内巻きカール部４の近傍部分に当接させ、延長片５のその下方部分は、周壁２の内面と折返し片６の上端６Ａ近傍の裏面との間に挟み込んで保持すればよい。
【００２７】
ただし、環状縁部３Ａを省略すると、天板上面に大きな外力が作用した場合に、天板周縁部が折返し片６の上端６Ａから下方に抜ける恐れがあるため、紙蓋の天板や周壁を構成する紙素材の厚みが薄く剛性が低い場合には、前述した実施形態のもののように、環状縁部３Ａを有する天板３を使用する方が望ましい。
【００２８】
次に、前述した図１に示す紙蓋１の製造工程を、図２に基づいて説明する。紙蓋１の製造に当たっては、先ず、図２（Ａ）に示すように、完成時の紙蓋１の周壁２となる円環状の環体２’を形成する。なお、図２は、各工程を縦断面で図示している。
【００２９】
次に、同図（Ｂ）のように、環体２’の下端部（なお、ここでは、紙蓋を上下逆向きの姿勢で製造しているため、この部分は完成時の周壁２の上端側となる。）を上に向けて曲げていき、さらに同図（Ｃ）のように上方へ大きく折り返す。
【００３０】
ここで、従来の紙蓋製造工程においては、先述した図４の（Ｃ）に示すように、単に内巻きカール部Ａ４を形成すればよいため、折り返す長さは少なかったが、本工程においては、図１に示す延長片５を形成するために、環体２’の下端部を長めに折り返している。
【００３１】
次いで、図２（Ｄ）の工程で、図示しない型押しによって、内巻きカール部４と延長片５を同時に形成する。
次に、同図（Ｅ）に示すように、予め別工程で製作しておいた天板３を、その上面側を下向きにして環体２’内に上方から嵌め込み、同図（Ｆ）に示すように、内巻きカール部４に前記天板３の上面側周縁部を当接して支持させる。
【００３２】
次いで、同図（Ｇ）に示すように、環体２’の上端部を内側に湾曲させ、さらに、同図（Ｈ）のように下方に大きく折り曲げて折返し片６となし、周壁２を形成していく。そして、同図（Ｉ）に示すように、前記折返し片５に係合凸部７を型押し形成するとともに、周壁２の内面と折返し片６の裏面との間に、天板３の環状縁部３Ａを挟み込み、同時に天板３の裏面周縁部に当該折返し片６の端６Ａを当接させて、図１の紙蓋１が完成する。
【００３３】
なお、環状縁部３Ａを有しない、単純な円板状の天板を用いた紙蓋を製造する場合には、前述した図２の（Ｈ）から（Ｉ）に至る工程において、折返し片６の裏面を直接延長片５の内面に重ね合わせるようにすればよい。
【産業上の利用可能性】
【００３４】
本発明の紙蓋及び紙蓋の製造方法は、アイスクリームやジャム、ピーナツバター等を入れる紙製容器の紙蓋に利用可能であり、さらに、樹脂製の容器の紙蓋においても利用可能である。
【符号の説明】
【００３５】
１    紙蓋
２    周壁
２’  環体
３    天板
３Ａ  環状縁部
４    内巻きカール部
５    延長片
６    折返し片
６Ａ  上端
７    係合凸部
【図１】
2010247837.tif 000003
【図２】
2010247837.tif 000004
【図３】
2010247837.tif 000005
【図４】
2010247837.tif 000006
【図５】
2010247837.tif 000007